【事件の表示】
　特許第３１５９３３４号「電子スチルカメラ」の請求項１に係る特許に対する特許異議の申立てについて、次のとおり決定する。
【結　論】
　訂正を認める。
　特許第３１５９３３４号の請求項１に係る特許を維持する。
【理　由】
１．手続の経緯
　特許第３１５９３３４号の請求項１に係る発明についての出願は、平成４年７月３１日に出願されたものであって、平成１３年２月１６日にその発明について特許権の設定登録がされ、その後、異議申立人藤田洋子により特許異議の申立がなされ、取消しの理由が通知され、その指定期間内である平成１４年４月２３日に訂正請求がなされたものである。
　
２．訂正の適否についての判断
（１）訂正の内容
ア．訂正事項ａ
　特許請求の範囲の請求項１を
「【請求項１】レリーズされたタイミングで被写体を撮像し、当該撮像結果でなる静止画像を画像データとして取り込み、所定の記録媒体に記録する電子スチルカメラにおいて、
レリーズ直後に取り込んだ上記画像データを１次メモリに記憶し、上記１次メモリに記憶した上記画像データを所望の圧縮率で圧縮するために設定した異なる複数の圧縮率で圧縮して複数の圧縮画像データに変換し、上記画像データ及び又は上記複数の圧縮画像データを上記記録媒体に記録するようにしたことを特徴とする電子スチルカメラ。」と訂正する。
イ． 訂正事項ｂ
　特許請求の範囲の請求項２を
「【請求項２】レリーズされたタイミングで被写体を撮像し、当該撮像結果でなる静止画像を画像データとして取り込み、所定の記録媒体に記録する電子スチルカメラにおいて、
レリーズ直後に取り込んだ上記画像データを所望の圧縮率で圧縮するために設定した異なる複数の圧縮率で圧縮して複数の圧縮画像データに変換し、上記画像データ及び又は上記複数の圧縮画像データを上記記録媒体に記録するようにし、
上記記録媒体に記録された１つの上記静止画像に対する上記画像データ及び又は上記複数の圧縮画像データを再生して所定の表示手段に表示すると共に、ユーザの操作に応じて上記記録媒体上の上記１つの静止画像に対する不要な上記画像データ及び又は上記複数の圧縮画像データを消去するようにしたことを特徴とする電子スチルカメラ。」と訂正する。
ウ．訂正事項ｃ
　明細書の段落【０００８】を
「【課題を解決するための手段】かかる課題を解決するため本発明においては、レリーズされたタイミングで被写体を撮影し、その撮影結果でなる静止画像を画像データとして取り込み、所定の記録媒体に記録する電子スチルカメラ１において、レリーズ直後に取り込んだ画像データを１次メモリに記憶し、この画像データを所望の圧縮率で圧縮するために設定した異なる複数の圧縮率で圧縮して複数の圧縮画像データに変換し、当該画像データ及び又は上記複数の圧縮画像データを記録媒体７に記録するようにした。」と訂正する。
　
（２）訂正の目的の適否、新規事項の有無及び特許請求の範囲の実質的拡張・変更の存否
　上記訂正事項ａは、特許請求の範囲の減縮を目的とした明細書の訂正に該当し、また、上記訂正事項ｂ、ｃは、明りょうでない記載の釈明を目的とした明細書の訂正に該当し、いずれも、新規事項の追加に該当せず、実質上特許請求の範囲を拡張し、又は変更するものではない。
　
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立ての概要
　特許異議申立人藤田洋子は、甲第１号証（特開平２−１０４０７８号公報）、甲第２号証（特開平２−２６３２６９号公報）を提出し、本件請求項１に係る発明の特許は、特許法第２９条第２項の規定に違反してなされたものであり、本件請求項１に係る発明の特許は取り消されるべきものである旨主張している。
　
４．特許異議の申立てについての判断
（１）本件発明
　上記のとおり、平成１４年４月２３日付の訂正請求は認容されるので、本件の請求項１に係る発明は、訂正明細書の特許請求の範囲の請求項１に記載の次のとおりのものと認める。
「【請求項１】レリーズされたタイミングで被写体を撮像し、当該撮像結果でなる静止画像を画像データとして取り込み、所定の記録媒体に記録する電子スチルカメラにおいて、
レリーズ直後に取り込んだ上記画像データを１次メモリに記憶し、上記１次メモリに記憶した上記画像データを所望の圧縮率で圧縮するために設定した異なる複数の圧縮率で圧縮して複数の圧縮画像データに変換し、上記画像データ及び又は上記複数の圧縮画像データを上記記録媒体に記録するようにしたことを特徴とする電子スチルカメラ。」
　
（２）引用刊行物
　当審が平成１４年２月８日付けで通知した取消理由において引用した刊行物１、２には、それぞれ、次のような事項が記載されている。
　刊行物１：特開平２−１０４０７８号公報（異議申立人藤田洋子が提出した甲第１号証）
「原画像データを圧縮してメモリに記録するディジタル記録装置において、圧縮率を複数種類設定可能とし、設定された圧縮率で圧縮された画像データがメモリの記録すべき所定領域に記録できないと判定されたときは、設定された圧縮率を記録可能なより小さい圧縮率に強制的に変更する。」（公報第１頁右下欄７ないし１２行）
「この発明は静止画のディジタル記録装置、さらに詳しくは、撮像した静止画を表わす画像データを圧縮処理し、圧縮されたデータをメモリに記憶するディジタル・スチル・カメラで代表される静止画のディジタル記録装置に関する。」（公報第１頁右下欄１５ないし１９行）
「シャッタ・レリーズ・ボタンの押下げによりシャッタが駆動され撮影が行われると、この撮影により得られた静止画像を表わすデータは、システム・コントローラの制御の下に、データ圧縮回路において設定された圧縮率でまたは強制変更後の圧縮率で圧縮処理が行なわれ、メモリ・カートリッジに転送されてメモリの指定された領域又は所定の領域に記録される。」（公報第４頁右下欄１９行ないし第５頁左上欄８行）
　刊行物２：特開平２−２６３２６９号公報（異議申立人藤田洋子が提出した甲第２号証）
「画像データを圧縮率の低い第１のデータ圧縮処理を施して第１の記録媒体に記録すると共に圧縮率の高い第２のデータ圧縮処理を施して第２の記録媒体に記録し、上記第１の記録媒体に画像データを記録した後所定期間経過後もしくは読み出し頻度が所定値以下になった後、上記第１の記録媒体に記録されていた上記画像データを消去することを特徴とする画像ファイリング方法。」（特許請求の範囲）
「本発明に係る第１、第２の画像ファイリング方法は、いずれも画像データを記録してから所定期間内もしくは読み出し頻度が所定値以下になるまでは圧縮率の低い状態で画像を保管することができ、所定期間経過後もしくは読み出し頻度が所定値以下になった後は圧縮率の高い状態でのみ保管するものであり、したがって画質の維持をほぼ満足しつつ長期保管用として高い圧縮率を実現でき、効率のよい画像ファイリングが可能となる。」（第５頁右上欄１７行ないし左下欄６行）
　
（３） 対比・判断
（訂正請求項１に係る発明）
　訂正明細書の請求項１に係る発明（以下「請求項１に係る発明」という。）と上記刊行物１、２に記載された発明とを対比すると、刊行物１、２に記載された発明は、請求項１に係る発明における下記の主要な事項を備えておらず、また、当該事項を示唆する記載もなされていない。
（ａ）電子スチルカメラにおいて、レリーズ直後に取り込んだ上記画像データを１次メモリに記憶し、上記１次メモリに記憶した上記画像データを所望の圧縮率で圧縮するために設定した異なる複数の圧縮率で圧縮して複数の圧縮画像データに変換すること。
　すなわち、上記刊行物１に記載された発明は、ディジタルスチルカメラにおいて、シャッタ・レリーズ・ボタンの押下げによりシャッタが駆動され撮影が行われると、この撮影により得られた静止画像を表わすデータを、設定された圧縮率または強制変更後の圧縮率で圧縮し、メモリ・カートリッジの所定の領域に記録することを示すに止まる。
　また、上記刊行物２に記載された技術は、画像ファイリング方法に関し、画像データを圧縮率の低い第１のデータ圧縮処理を施して第１の記録媒体に記録すると共に圧縮率の高い第２のデータ圧縮処理を施して第２の記録媒体に記録することを開示するに止まる。
　さらに、刊行物２に記載の技術は、画像ファイリングシステムにおいて、最初に記録してから所定期間又は読み出し頻度が所定値になるまでは、圧縮率が低く、画質の劣化が少ない状態で画像を保管し、所定期間経過後又は読み出し頻度が所定値以下になった後は、圧縮率の高い状態でのみ保管することで、画質の維持と圧縮率の向上との両立をはかることを意図するものであり、そのために異なる圧縮率の圧縮画像データを記録するものであるから、当該技術を、シャッタチャンスを逃さずに被写体の静止画像を複数の圧縮率で圧縮して記録することを意図して、上記刊行物１に記載されるような電子スチルカメラに適用し、レリーズ直後に取り込んだ画像データを記憶する１次メモリを設け、上記１次メモリに記憶した上記画像データを所望の圧縮率で圧縮するために設定した異なる複数の圧縮率で圧縮して複数の圧縮画像データに変換するように構成することは、容易に想到し得ることとはいえない。
　そして、請求項１に係る発明は、上記主要な事項により、明細書に記載された「デジタルスチルカメラを用いて所望の被写体を撮影する際、撮影した画像の圧縮率が予想できない場合や、シャッタチャンスを優先して圧縮率を考慮する余裕がない場合には、圧縮モード切替スイッチで３連続圧縮モードを指定すれば良い。このようにすれば、ユーザは圧縮率等を考慮することなく、最適なシャッタチャンスで撮影した被写体について、１／２０圧縮、１／４圧縮及び圧縮なしの画像データをメモリカード中に記録することができる。」という作用効果を奏するものであり、この点は前記各刊行物に記載のものからは期待することができない格別のものと認められる。
　したがって、請求項１に係る発明は、刊行物１、２に記載された発明から容易に発明をすることができたものとすることはできない。
　
（４） むすび
　以上のとおりであるから、特許異議申し立ての理由及び証拠によっては、本件請求項１に係る発明の特許を取り消すことができない。
　また、他に本件請求項１に係る発明の特許を取り消すべき理由を発見しない。　　　
　よって、結論のとおり決定する。
【異議決定日】
平成１４年５月１３日（２００２．５．１３）
【訂正の要旨】
訂正の要旨
▲１▼訂正事項ａ
　特許請求の範囲の減縮を目的として、請求項１を、
「【請求項１】
　レリーズされたタイミングで被写体を撮像し、当該撮像結果でなる静止画像を画像データとして取り込み、所定の記録媒体に記録する電子スチルカメラにおいて、
　レリーズ直後に取り込んだ上記画像データを
１次メモリに記憶し、上記１次メモリに記憶した上記画像データを
　ことを特徴とする電子スチルカメラ。」
のように訂正する。
▲２▼訂正事項ｂ
　請求項１を訂正したことにより、訂正前請求項２が訂正前請求項１に従属した記載形式をもっていたため、そのままにしておけば記載が不明りようになるので、請求項２を、
「【請求項２】
　
レリーズされたタイミングで被写体を撮像し、当該撮像結果でなる静止画像を画像データとして取り込み、所定の記録媒体に記録する電子スチルカメラにおいて、
　
レリーズ直後に取り込んだ上記画像データを所望の圧縮率で圧縮するために設定した異なる複数の圧縮率で圧縮して複数の圧縮画像データに変換し、上記画像データ及び又は上記複数の圧縮画像データを上記記録媒体に記録するようにし、
　上記記録媒体に記録された１つの上記静止画像に対する上記画像データ及び又は上記複数の圧縮画像データを再生して所定の表示手段に表示すると共に、ユーザの操作に応じて上記記録媒体上の上記１つの静止画像に対する不要な上記画像データ及び又は上記複数の圧縮画像データを消去するようにした
　ことを特徴とする電子スチルカメラ。」
のように、独立項の記載形式に訂正する。
▲３▼訂正事項ｃ
　不明りような記載の釈明を目的として、明細書の「課題を解決するための手段」の欄を、
「【０００８】
　【課題を解決するための手段】
　かかる課題を解決するため本発明においては、レリーズされたタイミングで被写体を撮影し、その撮影結果でなる静止画像を画像データとして取り込み、所定の記録媒体に記録する電子スチルカメラ１において、レリーズ直後に取り込んだ画像データ
を１次メモリに記憶し、この画像データ
のように訂正する。
（５４）【発明の名称】
電子スチルカメラ
（５７）【特許請求の範囲】
　【請求項１】
　レリーズされたタイミングで被写体を撮像し、当該撮像結果でなる静止画像を画像データとして取り込み、所定の記録媒体に記録する電子スチルカメラにおいて、
　レリーズ直後に取り込んだ上記画像データを
１次メモリに記憶し、上記１次メモリに記憶した上記画像データを
　ことを特徴とする電子スチルカメラ。
　【請求項２】
　
レリーズされたタイミングで被写体を撮像し、当該撮像結果でなる静止画像を画像データとして取り込み、所定の記録媒体に記録する電子スチルカメラにおいて、
　
レリーズ直後に取り込んだ上記画像データを所望の圧縮率で圧縮するために設定した異なる複数の圧縮率で圧縮して複数の圧縮画像データに変換し、上記画像データ及び又は上記複数の圧縮画像データを上記記録媒体に記録するようにし、
　上記記録媒体に記録された１つの上記静止画像に対する上記画像データ及び又は上記複数の圧縮画像データを再生して所定の表示手段に表示すると共に、ユーザの操作に応じて上記記録媒体上の上記１つの静止画像に対する不要な上記画像データ及び又は上記複数の圧縮画像データを消去するようにした
　ことを特徴とす
る電
　【請求項３】
　上記記録媒体に記録された上記画像データ及び又は上記複数の圧縮画像データを再生する際に、上記圧縮率の高い上記圧縮画像データから順に再生するようにした
ことを特徴とする請求項２に記載の電子スチルカメラ。
　【請求項４】
　上記記録媒体に記録された上記画像データ及び又は上記複数の圧縮画像データを再生する際、再生された上記圧縮画像データ及び又は上記画像データの保存が指定されると、他の上記画像データ及び又は上記圧縮画像データを消去するようにした
　ことを特徴とする請求項２及び又は３に記載の電子スチルカメラ。
【発明の詳細な説明】
　【０００１】
　【目次】
　以下の順序で本発明を説明する。
産業上の利用分野
従来の技術
発明が解決しようとする課題
課題を解決するための手段（図１）
作用（図１）
実施例（図１〜図６）
発明の効果
　【０００２】
　【産業上の利用分野】
　本発明は電子スチルカメラに関し、特に撮影した画像データを圧縮して記録するものに適用し得る。
　【０００３】
　【従来の技術】
　従来、電子スチルカメラとしてレリーズされたタイミングで被写体を撮影し、この撮影結果でなる画像信号をデジタル画像データに変換すると共に、所定のアルゴリズムに従って画像圧縮し、この結果得られる圧縮画像データを高速アクセス可能な記録媒体としてのメモリカードに記録するようになされたデジタルスチルカメラがある。
　【０００４】
　【発明が解決しようとする課題】
　ところでこのように画像を圧縮する際、高い圧縮率で圧縮すると被写体によっては再生された画像の画質が劣化する問題があり、逆に低い圧縮率で圧縮するとデータ量が多くなってしまい、メモリカード上に記録できる画像データの数が少なくなる問題があった。
　【０００５】
　またこのような問題を解決するため、画像を圧縮する際の圧縮率を変更し得るようになされたデジタルスチルカメラがあり、被写体に応じてユーザーがスイツチ操作して圧縮率を切り替え撮影するようになされている。被写体によっては高い圧縮率で圧縮しても、圧縮していない場合の画像と見分けがつかないものがあり、このような場合高い圧縮率を選択すれば良いと考えられる。
　【０００６】
　ところがこのようにユーザが撮影前に被写体に応じた圧縮率を選択する場合には、シヤツタチヤンスを逃してしまうおそれがあり、また圧縮結果は撮影し再生するまでは判断できず、結局メモリカードの利用効率やユーザの使い勝手の点で未だ不十分であった。
　【０００７】
　本発明は以上の点を考慮してなされたもので、シヤツタチヤンスを逃さずに被写体に応じた圧縮率で画像を圧縮して記録し得る電子スチルカメラを提案しようとするものである。
　【０００８】
　【課題を解決するための手段】
　かかる課題を解決するため本発明においては、レリーズされたタイミングで被写体を撮像し、その撮像結果でなる静止画像を画像データとして取り込み、所定の記録媒体に記録する電子スチルカメラ１において、レリーズ直後に取り込んだ画像データ
を１次メモリに記憶し、この画像データ
　【０００９】
　また本発明においては、記録媒体７に記録された１つの静止画像に対する画像データ及び又は複数の圧縮画像データを再生して所定の表示手段１１に表示すると共に、ユーザの操作に応じて記録媒体７上の当該１つの静止画像に対する不要な画像データ及び又は複数の圧縮画像データを消去するようにした。
　【００１０】
　さらに本発明においては、記録媒体７に記録された画像データ及び又は複数の圧縮画像データを再生する際、圧縮率の高い圧縮画像データから順に再生するようにした。
　【００１１】
　さらにまた本発明においては、記録媒体７に記録された画像データ及び又は複数の圧縮画像データを再生する際、再生された圧縮画像データ及び又は画像データの保存が指定されると、他の画像データ及び又は圧縮画像データを消去するようにした。
　【００１２】
　【作用】
　従つて、レリーズ直後に取り込んだ画像データを所望の圧縮率で圧縮するために設定した異なる複数の圧縮率で圧縮し、この結果得られる複数の圧縮画像データを画像データと共に所定の記録媒体７に記録するようにしたことにより、シヤツタチヤンスを逃さずに被写体の静止画像を複数の圧縮率で圧縮して記録し得ると共に、この結果記録媒体７に記録された１つの静止画像に対する画像データや複数の圧縮画像データを再生して表示し、ユーザの操作によって記録媒体７上の１つの静止画像に対する不要な画像データ又は圧縮画像データを消去するようにしたことにより、被写体に応じた圧縮率の画像データのみを記録媒体７上に記録し得る。
　【００１３】
　【実施例】
　以下図面について、本発明の一実施例を詳述する。
　【００１４】
　図１において１は全体として本発明によるデジタルスチルカメラを示し、固体撮像素子（ＣＣＤ）２で光電変換された画像が信号処理回路３で信号処理され、この結果得られる画像信号がアナログデジタルコンバータ４でアナログデジタル変換され、デジタル信号でなる画像データに変換される。
　【００１５】
　この画像データは所定のタイミングで例えば１画像分の記憶容量を有する１次メモリ５に書き込まれる。この１次メモリ５に記憶された画像データは所定のタイミングで読み出され、圧縮回路６を通じて、１／２０圧縮や１／４圧縮されて圧縮画像データとして又は圧縮せずに画像データとしてメモリカード７に書き込まれ記録される。
　【００１６】
　メモリカード７に記録された圧縮画像データ又は画像データは、必要に応じて読み出され、伸張回路８で圧縮率に応じて伸張され、この結果得られる画像データが１次メモリ５を経由してデジタルアナログコンバータ９でデジタルアナログ変換される。
　【００１７】
　この結果得られる画像信号が切換回路１０の一方の入力端及び出力端を通じて電子式ビユーフアインダ（ＥＶＦ）１１に映出され、このようにしてメモリカード７に記録された圧縮画像データ又は画像データを再生し得るようになされている。またこの切換回路１０の他方の入力端には、信号処理回路３で信号処理された画像信号が入力され、これにより撮影しようとする被写体のリアルタイム画像がビユーフアインダ１１に映出され、ユーザが確認し得るようになされている。
　【００１８】
　実際上レリーズスイツチ（ＳＷ）１２でシヤツタが押されると、ＣＰＵ１３がこれを検出しメモリコントローラ１４の制御により画像データが１次メモリ５に記録される。このＣＰＵ１３には、駒送りスイツチ（ＳＷ）１５、オート再生スイツチ（ＳＷ）１６、圧縮モード切換スイツチ（ＳＷ）１７、消去スイツチ（ＳＷ）１８及び再生解除スイツチ（ＳＷ）１９が接続され、これらのスイツチ１５〜１９の状態に応じてデジタルスチルカメラ１全体を制御する。
　【００１９】
　このうち圧縮モード切換スイツチ１７は、画像データを圧縮する際の圧縮モードを切り換えるスイツチで、「オート３連続圧縮」、「１／２０圧縮」、「１／４圧縮」又は「圧縮なし」の各モードを選択し得るようになされている。
　【００２０】
　実際上この圧縮モード切換スイツチ１７が「１／２０圧縮」、「１／４圧縮」、「圧縮なし」に切り換えられた場合には、ＣＰＵ１３及びメモリコントローラ１４の制御によって、１次メモリ５に記録された画像データが圧縮回路６によって圧縮され、それぞれ１／２０圧縮画像データ、１／４圧縮画像データ又は画像データとしてメモリカード７に書き込まれる。
　【００２１】
　またこの実施例のデジタルスチルカメラ１においては、「オート３連続圧縮」のモードを有し、このモードが選択された場合ＣＰＵ１３及びメモリコントローラ１４の制御によつて、１次メモリ５に記録された画像データが順次圧縮回路６によつて圧縮され、１枚の画像データについてそれぞれ１／２０圧縮画像データ、１／４圧縮画像データが発生され、圧縮なしの画像データと共に、メモリカード７に書き込まれる。
　【００２２】
　この処理は、図２に示すようにＣＰＵ１３に内蔵された撮影記録処理プログラムＳＰ０に従って実行され、実際上ＣＰＵ１３は撮影時、レリーズスイツチ１２でシヤツタが押されると撮影記録処理プログラムＳＰ０から入って次のステツプＳＰ１において、１次メモリ５に画像データを取り込む。続いてＣＰＵ１３はステツプＳＰ２で圧縮モード切換スイツチ１７がオート３連続圧縮モードに切換られているか否か判断し、ここで肯定結果を得ると次のステツプＳＰ３に移る。
　【００２３】
　このステツプＳＰ３でＣＰＵ１３は、メモリコントローラ１４を制御して１次メモリ５に書き込まれた画像データを読み出し、圧縮回路６を通過させてメモリカード７に書き込み、これによりまず圧縮なしの画像データをメモリカード７に記録する。続いてＣＰＵ１３は次のステツプＳＰ４で、メモリコントローラ１４を制御して１次メモリ５に書き込まれた画像データを読み出し、圧縮回路６において１／４圧縮し、この結果得られる１／４圧縮画像データをメモリカード７に記録する。
　【００２４】
　さらに続いてＣＰＵ１３は次のステツプＳＰ５で、メモリコントローラ１４を制御して１次メモリ５に書き込まれた画像データを読み出し、圧縮回路６において１／２０圧縮し、この結果得られる１／２０圧縮画像データをメモリカード７に記録した後、次のステツプＳＰ６において、図３〜図５に示す画像再生処理プログラムに移行する。
　【００２５】
　また上述のステツプＳＰ２で否定結果を得ると、ＣＰＵ１３はステツプＳＰ７に移って、圧縮モード切換スイツチ１７が１／２０圧縮モードに切換られているか否か判断し、ここで肯定結果を得ると次のステツプＳＰ８に移る。このステツプＳＰ８でＣＰＵ１３は、メモリコントローラ１４を制御して１次メモリ５に書き込まれた画像データを読み出し、圧縮回路６において１／２０圧縮し、この結果得られる１／２０圧縮画像データをメモリカード７に記録し、次のステツプＳＰ９において当該撮影記録処理プログラムＳＰ０を終了する。
　【００２６】
　さらに上述のステツプＳＰ７において否定結果を得ると、ＣＰＵ１３はステツプＳＰ１０に移って、圧縮モード切換スイツチ１７が１／４圧縮モードに切換られているか否か判断し、ここで肯定結果を得ると次のステツプＳＰ１１に移る。このステツプＳＰ１１でＣＰＵ１３は、メモリコントローラ１４を制御して１次メモリ５に書き込まれた画像データを読み出し、圧縮回路６において１／４圧縮し、この結果得られる１／４圧縮画像データをメモリカード７に記録し、次のステツプＳＰ９において当該撮影記録処理プログラムＳＰ０を終了する。
　【００２７】
　またさらに上述のステツプＳＰ１０において否定結果を得ると、ＣＰＵ１３はステツプＳＰ１２に移って、メモリコントローラ１４を制御して１次メモリ５に書き込まれた画像データを読み出し、圧縮回路６を通じて圧縮なしの画像データとしてメモリカード７に記録し、次のステツプＳＰ９において当該撮影記録処理プログラムＳＰ０を終了する。
　【００２８】
　このようにしてこの実施例のデジタルスチルカメラ１の場合、ユーザによる圧縮モード切換スイツチ１７の設定に応じて、撮影した被写体の画像データを所定の圧縮率で圧縮した圧縮画像データ又は圧縮なしの画像データとしてメモリカード７に記録する。さらにこれに加えて圧縮モード切換スイツチ１７として３連続圧縮モードが設定されている場合には、レリーズスイツチ１２でシヤツタが押されて撮影した１枚の画像データについて、それぞれ１／２０及び１／４に圧縮し、圧縮なしの画像データと共にメモリカード７に記録し得るようになされている。
　【００２９】
　またこの実施例のデジタルスチルカメラ１の場合、撮影記録処理プログラムＳＰ０において３連続圧縮モードの記録処理が終了すると、ＣＰＵ１３は直ちに図３〜図５に示す画像再生処理プログラムＳＰ２０を実行する。すなわちＣＰＵ１３はステツプＳＰ２０から入つて、次のステツプＳＰ２１において、オート再生スイツチ１６が操作されてオート再生モードであるか否かを判断し、否定結果を得ると、ステツプＳＰ２２に移つて当該画像再生処理プログラムＳＰ２０を終了する。
　【００３０】
　またこのステツプＳＰ２１で肯定結果を得ると、次のステツプＳＰ２３に移ってメモリカード７中に１／２０圧縮画像データがあるか否か判断する。このステツプＳＰ２３で肯定結果を得ると、ＣＰＵ１３は次のステツプＳＰ２４において、切換回路１０をデジタルアナログコンバータ９側に切換制御すると共に、メモリコントローラー４を制御して、メモリカード７から１／２０圧縮画像データを読み出して伸張回路８で圧縮率に応じた伸張処理を実行し、この結果得られる画像データが１次メモリ５を通じてビユーフアインダ１１に映出され、このようにして１／２０圧縮画像データが再生される。
　【００３１】
　続いてＣＰＵ１３は次のステツプＳＰ２５に移って、消去スイツチ１８で１／２０圧縮画像データの消去が指定されたか否かを判断する。実際上消去スイツチ１８では、ユーザの操作によって再生中の画像の消去又は自動消去モードが指定し得るようになされている。なおこの自動消去モードとは、ここで再生中の圧縮画像データ又は画像データが画質として満足できるもので、この圧縮画像データ又は画像データのみを撮影した画像としてメモリカード７に記録するものとして、他の圧縮の画像データや画像データを自動的に消去する。
　【００３２】
　このステツプＳＰ２５で否定結果を得ると、ＣＰＵ１３は次のステツプＳＰ２６に移ってさらに消去スイツチ１８の状態を検出して、自動消去モードが設定されたか否か判断する。ＣＰＵ１３はこのステツプＳＰ２６で肯定結果を得ると、次のステツプＳＰ２７に移ってメモリコントローラ１４を制御して、メモリカード７中に記録されている１／４圧縮画像データ及び圧縮なしの画像データを消去して次のステツプＳＰ２８に移る。
　【００３３】
　またＣＰＵ１３はステツプＳＰ２６で否定結果を得るとそのままステツプＳＰ２８に移る。このステツプＳＰ２８でＣＰＵ１３は、駒送りスイツチ１５の状態を検出して、駒送りスイツチ１５が押されたか否かを判断し、ここで否定結果を得ると、上述のステツプＳＰ２４に戻り１／２０圧縮画像データの再生処理を続ける。
　【００３４】
　なおＣＰＵ１３は上述のステツプＳＰ２５で、ユーザが消去スイツチ１８の操作によって再生中の画像の消去を指定したことにより肯定結果を得ると、ステツプＳＰ２９に移り、メモリコントローラ１４を制御して、メモリカード７中に記録されている１／２０圧縮画像データの画像データを消去して次のステツプＳＰ３０に移る。またＣＰＵ１３は上述のステツプＳＰ２３でメモリカード７中に１／２０圧縮画像データが無いことにより否定結果を得ると、そのままステツプＳＰ３０に移る。
　【００３５】
　このステツプＳＰ３０においてＣＰＵ１３は、メモリカード７中に１／４圧縮画像データがあるか否か判断する。このステツプＳＰ３０で肯定結果を得ると、ＣＰＵ１３は次のステツプＳＰ３１において、上述のステツプＳＰ２４と同様にしてメモリカード７から１／４圧縮画像データを読み出し、これがビユーフアインダ１１に映出され、このようにして１／４圧縮画像データが再生される。
　【００３６】
　続いてＣＰＵ１３は次のステツプＳＰ３２に移って消去スイツチ１８の状態を検出して１／４圧縮画像データの消去が指定されたか否かを判断し、ここで否定結果を得ると、ＣＰＵ１３は次のステツプＳＰ３３に移って、さらに消去スイツチ１８の状態を検出して、自動消去モードが設定されたか否か判断する。
　【００３７】
　ＣＰＵ１３はこのステツプＳＰ３３で肯定結果を得ると、次のステツプＳＰ３４に移ってメモリコントローラ１４を制御して、メモリカード７中に記録されている１／２０圧縮画像データ及び圧縮なしの画像データを消去して次のステツプＳＰ３５に移る。またＣＰＵ１３はステツプＳＰ３３で否定結果を得るとそのままステツプＳＰ３５に移る。このステツプＳＰ３５でＣＰＵ１３は、駒送りスイツチ１５の状態を検出して、駒送りスイツチ１５が押されたか否かを判断し、ここで肯定結果を得るとステツプＳＰ４０に移り、次の圧縮画像データについて上述と同様の処理を行う。また逆にこのステツプＳＰ３５で否定結果を得ると、ＣＰＵ１３は上述のステツプＳＰ３１に戻り１／４圧縮画像データの再生処理を続ける。
　【００３８】
　またＣＰＵ１３は上述のステツプＳＰ３２で、ユーザが消去スイツチ１８の操作によって再生中の画像の消去を指定したことにより肯定結果を得ると、ステツプＳＰ３６に移り、メモリコントローラ１４を制御して、メモリカード７中に記録されている１／４圧縮画像データの画像データを消去して次のステツプＳＰ４０に移る。またＣＰＵ１３は上述のステツプＳＰ３０でメモリカード７中に１／４圧縮画像データが無いことにより、否定結果を得るとそのままステツプＳＰ４０に移る。
　【００３９】
　このステツプＳＰ４０において、ＣＰＵ１３はメモリカード７中に圧縮なしの圧縮画像データがあるか否か判断する。このステツプＳＰ４０で肯定結果を得ると、ＣＰＵ１３は次のステツプＳＰ４１において、上述のステツプＳＰ３１と同様にしてメモリカード７から圧縮なしの画像データを読み出し、これをビユーフアインダ１１に映出し、このようにして圧縮なしの画像データが再生される。
　【００４０】
　続いてＣＰＵ１３は次のステツプＳＰ４２に移って、消去スイツチ１８の状態を検出して圧縮なしの画像データの消去が指定されたか否かを判断し、ここで否定結果を得ると、ＣＰＵ１３は次のステツプＳＰ４３に移ってさらに消去スイツチ１８の状態を検出して、自動消去モードが設定されたか否か判断する。ＣＰＵ１３はこのステツプＳＰ４３で肯定結果を得ると、次のステツプＳＰ４４に移ってメモリコントローラ１４を制御して、メモリカード７中に記録されている１／２０圧縮画像データ及び１／４圧縮画像データを消去して次のステツプＳＰ４５に移る。
　【００４１】
　またＣＰＵ１３はステツプＳＰ４３で否定結果を得るとそのままステツプＳＰ４５に移る。このステツプＳＰ４５でＣＰＵ１３は、駒送りスイツチ１５の状態を検出して、駒送りスイツチ１５が押されたか否かを判断し、ここで肯定結果を得ると上述のステツプＳＰ２３に戻り、次の圧縮画像データについて上述と同様の処理を行う。逆に否定結果を得るとＣＰＵ１３は、ステツプＳＰ４１に戻り圧縮なしの画像データの再生処理を続ける。
　【００４２】
　なおＣＰＵ１３は上述のステツプＳＰ４２で、ユーザが消去スイツチ１８の操作によって再生中の画像の消去を指定したことにより肯定結果を得ると、ステツプＳＰ４６に移り、メモリコントローラ１４を制御して、メモリカード７中に記録されている圧縮なしの画像データを消去して、上述のステツプＳＰ２３に戻る。
　【００４３】
　またＣＰＵ１３は上述のステツプＳＰ４０でメモリカード７中に１／４圧縮画像データが無いことにより否定結果を得ると、ステツプＳＰ４７に移りメモリカード７中に上述の処理において参照したと同じタイミングに撮影された他の圧縮率画像データ又は画像データが存在するか否か判断し、ここで肯定結果を得ると上述のステツプＳＰ２３に戻り、次の圧縮画像データについて上述と同様の処理を行う。
　【００４４】
　逆に否定結果を得るとＣＰＵ１３はステツプＳＰ２２に移り、当該画像再生処理プログラムＳＰ２０を終了する。このデジタルスチルカメラ１の場合、再生解除スイツチ１９を有してなり、この再生解除スイツチ１９が操作されることによって発生する割り込みによって、画像再生処理プログラムＳＰ２０の何れの処理ループ中でも終了し得るようになされている。
　【００４５】
　なおこの画像再生処理プログラムＳＰ２０が終了すると、ＣＰＵ１３はデジタルスチルカメラ１全体を撮影スタンバイ状態に制御すると共に、切換回路１０を信号処理回路３からの画像信号入力側に切り換える。この結果ビユーフアインダー１１にＣＣＤ２で撮像されているリアルタイム画像が映出される。
　【００４６】
　また実際上メモリカード７は着脱可能となされ、図６に示すように、管理領域ＡＲＭと画像情報領域ＡＲＶより構成されている。このうち管理領域ＡＲＭには、画像情報領域ＡＲＶに書き込まれる画像データの番号や、画像情報領域ＡＲＶでの書き込み場所、日付、圧縮率等でなる管理データが書き込まれ、画像データの書き込みと同時に管理領域ＡＲＭへも書き込みが行われる。
　【００４７】
　実際上デジタルスチルカメラ１にメモリカード７が入れられると、ＣＰＵ１３はこの管理領域ＡＲＭの管理データを取り込み、メモリカード７の内容をすべて把握するようになされている。またオート再生のため画像データを読み出すときは、ＣＰＵ１３内で直前に撮影され書き込んだ画像データ及び圧縮画像データの番号がわかっているため、順次読みだすことが可能である。
　【００４８】
　画像データを消去する場合は、消去スイツチ１８が押されると、ＣＰＵ１３より直接メモリカード７の管理領域ＡＲＭに記録されている管理データを消せばよい。管理領域ＡＲＭに書き込まれたデータを消去することにより、画像情報領域ＡＲＶに画像データが残っていても、新しい画像データの書き込み時に前の画像データに上書きされる為、前の画像データはなくなる。
　【００４９】
　以上の構成において、このデジタルスチルカメラ１を用いて所望の被写体を撮影する際、予め撮影した画像を所定の圧縮率で圧縮したり、また圧縮しないことを指定したい場合には、圧縮モード切換スイツチ１７で例えば１／２０圧縮、１／４圧縮又は圧縮なしを指定すれば良い。このようにすれば、ユーザが所望の圧縮率で圧縮した画像データをメモリカード７に記録し得る。
　【００５０】
　またこのデジタルスチルカメラ１を用いて所望の被写体を撮影する際、撮影した画像の圧縮率が予測できない場合や、シヤツタチヤンスを優先して圧縮率を考慮する余裕が無い場合には、圧縮モード切換スイツチ１７で３連続圧縮モードを指定すれば良い。このようにすれば、ユーザは圧縮率等を考慮することなく、最適なシヤツタチヤンスで撮影した被写体について、１／２０圧縮、１／４圧縮及び圧縮なしの画像データをメモリカード７中に記録することができる。
　【００５１】
　さらにこの後ビユーフアインダ１１に映出された１／２０圧縮、１／４圧縮及び圧縮なしの画像に基づいて、メモリカード７に記録する画像データを選択し、不要な画像データを消去するようにしたことにより、最適なシヤツタチヤンスで撮影した被写体を、最適な圧縮率で圧縮してメモリカード７に記録することができる。
　【００５２】
　さらにまたこのデジタルスチルカメラ１では、オート３連続圧縮モードで撮影しメモリカード７に記録した画像について、画像再生時にオート再生モードを指定すると共に自動消去モードを指定すると、高圧縮率の圧縮画像データから再生してこの画像についてユーザが保存すること選択したとき、他の画像データを消去するようにしたことにより、容易かつ簡易な手順で最適なシヤツタチヤンスで撮影した被写体を、最適な圧縮率で圧縮してメモリカード７に記録することができる。
　【００５３】
　以上の構成によれば、レリーズスイツチ１２でシヤツタが押されて撮影された画像データを、それぞれ異なる複数の圧縮率で圧縮し、この結果得られる複数の圧縮画像データを画像データと共にメモリカード７に記録するようにしたことにより、シヤツタチヤンスを逃さずに被写体を複数の圧縮率で圧縮してメモリカード７に記録し得ると共に、この結果メモリカード７に記録された画像データや複数の圧縮画像データを再生して表示し、ユーザの操作によって不要な画像データ又は圧縮画像データを消去するようにしたことにより、被写体に応じて最適な圧縮率の画像データのみをメモリカード上に記録し得、かくするにつきユーザの使い勝手及びメモリカード７の利用効率を格段的に向上し得るデジタルスチルカメラ１を実現できる。
　【００５４】
　なお上述の実施例においては、撮影した画像データ及びこれを圧縮した画像データを記録する記録媒体として、メモリカードを用いた場合について述べたが、記録媒体はこのように半導体メモリを用いたものに限らず、例えば磁気デイスクや磁気テープ等の磁気記録媒体や光ディスク等の光記録媒体を用いるようにしても良い。
　【００５５】
　また上述の実施例においては、圧縮率として画像データを１／２０圧縮や１／４圧縮する場合について述べたが、実際上画像データのデータ量を正確に１／２０や１／４に圧縮する必要はなく、要は圧縮結果のデータ量が平均的に１／２０や１／４になれば良く、さらに圧縮率自身も１／２０圧縮や１／４圧縮に限らず、１／１０圧縮や１／２圧縮等、他の圧縮率を用いたりこれらを組み合わせて使用するようにしても、上述の実施例と同様の効果を実現できる。
　【００５６】
　【発明の効果】
　上述のように本発明によれば、レリーズ直後に取り込んだ画像データを所望の圧縮率で圧縮するために設定した異なる複数の圧縮率で圧縮し、この結果得られる複数の圧縮画像データを画像データと共に所定の記録媒体に記録するようにしたことにより、シヤツタチヤンスを逃さずに被写体の静止画像を複数の圧縮率で圧縮して記録し得ると共に、この結果記録媒体に記録された１つの静止画像に対する画像データや複数の圧縮画像データを再生して表示し、ユーザの操作によって記録媒体上の１つの静止画像に対する不要な画像データ又は圧縮画像データを消去するようにしたことにより、被写体に応じた圧縮率の画像データのみを記録媒体上に記録することができ、かくして、記録媒体の利用効率を格段的に向上し得ると共に、ユーザの使い勝手を格段的に向上し得る電子スチルカメラを実現することができる。
【図面の簡単な説明】
　【図１】
　本発明によるデジタルスチルカメラの一実施例を示すブロツク図である。
　【図２】
　図１のデジタルスチルカメラにおいて実行される撮影記録処理プログラムの説明に供するフローチヤートである。
　【図３】
　図１のデジタルスチルカメラにおいて実行される画像再生処理プログラムの説明に供するフローチヤートである。
　【図４】
　図１のデジタルスチルカメラにおいて実行される画像再生処理プログラムの説明に供するフローチヤートである。
　【図５】
　図１のデジタルスチルカメラにおいて実行される画像再生処理プログラムの説明に供するフローチヤートである。
　【図６】
　メモリカードの記録領域の説明に供する略線図である。
　【符号の説明】
　１……デジタルスチルカメラ、２……固体撮像素子、３……信号処理回路、４……アナログデジタルコンバータ、５……１次メモリ、６……圧縮回路、７……メモリカード、８……伸張回路、９……デジタルアナログコンバータ、１０……切換回路、１１……電子式ビユーフアインダ、１２……レリーズスイツチ、１３……ＣＰＵ、１４……メモリコントローラ、１５……駒送りスイツチ、１６……オート再生スイツチ、１７……圧縮モード切換スイツチ、１８……消去スイツチ、１９……再生解除スイツチ。